(57)【要約】【課題】デジタルカメラ等の撮影装置において、撮影視野全体と視野内の特定領域の２つの領域それぞれにおいて、適切な明るさの撮影画像を取得する。【解決手段】撮影装置は、被写体を撮像して画像データを取得する撮像手段と、取得された画像データを表示する表示手段と、被写体の明るさに応じて露出条件を決定する露出決定手段とを備え、露出決定手段により決定された露出条件に従って撮影を行う。そして撮影装置は、撮影視野Ａ１内に予め設定された所定領域Ａ２を表示手段に表示する領域表示手段をさらに備え、露出決定手段が、撮影視野Ａ１全体の明るさに基づく第一の露出条件と所定領域Ａ２の明るさに基づく第二の露出条件とをそれぞれ決定し、撮影時に、第一の露出条件に従った第一の撮影と、第二の露出条件に従った第二の撮影とを連続して行なう。【選択図】図４
2008187590.tif 000002
【特許請求の範囲】
【請求項１】
被写体を撮像して画像データを取得する撮像手段と、
該取得された画像データを表示する表示手段と、
被写体の明るさに応じて露出条件を決定する露出決定手段とを備え、
該露出決定手段により決定された露出条件に従って撮影を行う撮影装置において、
撮影視野内に予め設定された所定領域を前記表示手段に表示する領域表示手段をさらに備え、
前記露出決定手段が、前記撮影視野全体の明るさに基づく第一の露出条件と前記所定領域の明るさに基づく第二の露出条件とをそれぞれ決定し、
撮影時に、前記第一の露出条件に従った第一の撮影と、前記第二の露出条件に従った第二の撮影とを連続して行なうことを特徴とする撮影装置。
【請求項２】
前記撮像手段が、ズームレンズを備えてなるものであって、
前記第二の撮影時に、前記所定領域を含む視野を最大倍率まで拡大するように撮影倍率を変えて撮影することを特徴とする請求項１に記載の撮影装置。
【請求項３】
被写体を撮像して画像データを取得する、ズームレンズを備えた撮像手段と、
該取得された画像データを表示する表示手段とを備えてなる撮影装置において、
撮影視野内に予め設定された所定領域を前記表示手段に表示する領域表示手段をさらに備え、
撮影時に、撮影視野全体を撮影する全体撮影と、前記所定領域を含む視野を最大倍率まで拡大するように撮影倍率を変えて撮影する所定領域撮影とを連続して行なうことを特徴とする撮影装置。
【請求項４】
被写体を撮像して画像データを取得する撮像手段と、
該取得された画像データを表示する表示手段と、
前記取得された画像データ中の任意の領域の画像を切り出して画像データを生成する電子ズーム撮影手段とを備えてなる撮影装置において、
撮影視野内に予め設定された所定領域を前記表示手段に表示する領域表示手段をさらに備え、
撮影時に、撮影視野全体を撮影して画像データを取得する全体撮影を行い、該全体撮影手段により取得された画像データから前記電子ズーム撮影手段が前記所定領域を切り出して所定領域の画像データを生成することを特徴とする撮影装置。
【請求項５】
被写体を撮像して画像データを取得する撮像手段と、
該取得された画像データを表示する表示手段と、
被写体の明るさに応じて露出条件を決定する露出決定手段とを備え、
該露出決定手段により決定された露出条件に従って撮影を行う撮影装置において、
前記画像データから所定の対象物を検出する対象物検出手段をさらに備え、
前記露出決定手段が、前記撮影視野全体の明るさに基づく第一の露出条件と前記対象物検出手段により検出された所定の対象物の明るさに基づく第二の露出条件とをそれぞれ決定し、
撮影時に、前記第一の露出条件に従った第一の撮影と、前記第二の露出条件に従った第二の撮影とを連続して行なうことを特徴とする撮影装置。
【請求項６】
前記撮像手段が、ズームレンズを備えてなるものであって、
前記第二の撮影時に、前記所定の対象物を含む最大倍率まで拡大するように撮影倍率を変えて撮影することを特徴とする請求項５に記載の撮影装置。
【請求項７】
被写体を撮像して画像データを取得する、ズームレンズを備えた撮像手段と、
該取得された画像データを表示する表示手段とを備えてなる撮影装置において、
前記画像データから所定の対象物を検出する対象物検出手段をさらに備え、
撮影時に、撮影視野全体を撮影する全体撮影と、前記対象物検出手段により検出された所定の対象物を含む視野を最大倍率まで拡大するように撮影倍率を変えて撮影する対象物撮影とを連続して行なうことを特徴とする撮影装置。
【請求項８】
被写体を撮像して画像データを取得する撮像手段と、
該取得された画像データ中の任意の領域の画像を切り出して画像データを生成する電子ズーム撮影手段とを備えてなる撮影装置において、
前記画像データから所定の対象物を検出する対象物検出手段をさらに備え、
撮影時に、撮影視野全体を撮影して画像データを取得する全体撮影を行い、該全体撮影により取得された画像データから前記対象物検出手段が前記所定の対象物を検出し、前記電子ズーム撮影手段が前記検出された所定の対象物を切り出して画像データを生成することを特徴とする撮影装置。
【請求項９】
被写体を撮像して画像データを取得する、ズームレンズを備えた撮像手段と、
該取得された画像データから所定の対象物を検出する対象物検出手段と、
被写体の明るさに応じて露出条件を決定する露出決定手段とを備えてなり、
該露出決定手段により決定された露出条件に従って撮影を行う撮影装置において、
前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記撮像手段が前記所定の対象物を含む視野を最大倍率まで拡大するように撮影倍率を変えるか、及び／又は、前記露出決定手段が前記露出条件を再度決定してから撮影を行うことを特徴とする撮影装置。
【請求項１０】
前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記露出決定手段が前記第二の露出条件を再度決定してから撮影を行うことを特徴とする請求項５に記載の撮影装置。
【請求項１１】
前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記撮像手段が前記所定の対象物を含む視野を最大倍率まで拡大するように撮影倍率を変えるか、及び／又は、前記露出決定手段が前記第二の露出条件を再度決定してから撮影を行うことを特徴とする請求項６に記載の撮影装置。
【請求項１２】
前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記撮像手段が前記所定の対象物を含む視野を最大倍率まで拡大するように撮影倍率を変えてから撮影を行うことを特徴とする請求項７に記載の撮影装置。
【請求項１３】
前記所定の対象物がナンバープレートであり、前記表示内容がナンバープレートに表示された文字及び／又は数字であって、
前記自動認証手段により認証された文字及び／又は数字に応じた名前のフォルダを作成するフォルダ作成部をさらに備え、
該フォルダ作成部により作成されたフォルダに、前記撮影により取得した画像データを記録することを特徴とする請求項９〜１２のいずれか１項に記載の撮影装置。
【請求項１４】
被写体距離を検出する測距手段をさらに備え、
該測距手段により検出された値を前記表示手段に表示させる測距結果表示手段を備えていることを特徴とする請求項１〜１３のいずれか１項に記載の撮影装置。
【請求項１５】
撮影により取得された画像データの内容に応じてそれぞれファイル名を生成して付与するファイル名生成手段を備えていることを特徴とする請求項１〜１４のいずれか１項に記載の撮影装置。
【請求項１６】
被写体を撮像して画像データを取得する撮像手段と、
該取得された画像データを表示する表示手段と、
被写体の明るさに応じて露出条件を決定する露出決定手段とを備えた撮影装置を使用し、前記露出決定手段により決定された露出条件に従って撮影を行う撮影方法において、
撮影視野内に予め所定領域を設定し、
該設定した所定領域を前記表示手段に表示し、
前記露出決定手段により前記撮影視野全体の明るさに基づく第一の露出条件と前記所定領域の明るさに基づく第二の露出条件とをそれぞれ決定し、
撮影時に、前記第一の露出条件に従った第一の撮影と、前記第二の露出条件に従った第二の撮影とを連続して行うことを特徴とする撮影方法。
【請求項１７】
被写体を撮像して画像データを取得する、ズームレンズを備えた撮像手段と、
該取得された画像データを表示する表示手段とを備えてなる撮影装置を使用した撮影方法において、
撮影視野内に予め所定領域を設定し、
該設定した所定領域を前記表示手段に表示し、
撮影時に、撮影視野全体を撮影する全体撮影と、前記所定領域を含む視野を最大倍率まで拡大するように撮影倍率を変えて撮影する所定領域撮影とを連続して行うことを特徴とする撮影方法。
【請求項１８】
被写体を撮像して画像データを取得する撮像手段と、
該取得された画像データを表示する表示手段と、
前記取得された画像データ中の任意の領域の画像を切り出して画像データを生成する電子ズーム撮影手段とを備えてなる撮影装置を使用した撮影方法において、
撮影視野内に予め所定領域を設定し、
該設定した所定領域を前記表示手段に表示し、
先ず撮影視野全体を撮影して画像データを取得する全体撮影を行い、
次に前記電子ズーム撮影手段が前記全体撮影により取得された画像データから前記所定領域を切り出して所定領域の画像データを生成することを特徴とする撮影方法。
【請求項１９】
被写体を撮像して画像データを取得する撮像手段と、
該取得された画像データを表示する表示手段と、
前記画像データから所定の対象物を検出する対象物検出手段と、
被写体の明るさに応じて露出条件を決定する露出決定手段とを備えた撮影装置を使用し、前記露出決定手段により決定された露出条件に従って撮影を行う撮影方法において、
前記対象物検出手段が前記画像データから所定の対象物を検出し、
前記露出決定手段が、前記撮影視野全体の明るさに基づく第一の露出条件と前記対象物検出手段により検出された所定の対象物の明るさに基づく第二の露出条件とをそれぞれ決定し、
撮影時に、前記第一の露出条件に従った第一の撮影と、前記第二の露出条件に従った第二の撮影とを連続して行なうことを特徴とする撮影装置。
【請求項２０】
被写体を撮像して画像データを取得する、ズームレンズを備えた撮像手段と、
該取得された画像データを表示する表示手段と、
前記画像データから所定の対象物を検出する対象物検出手段とを備えてなる撮影装置を使用した撮影方法において、
前記対象物検出手段が前記画像データから所定の対象物を検出し、
先ず撮影視野全体を撮影する全体撮影を行い、
次に前記検出された所定の対象物を含む視野を最大倍率まで拡大するように撮影倍率を変えて撮影する対象物撮影を行うことを特徴とする撮影方法。
【請求項２１】
被写体を撮像して画像データを取得する撮像手段と、
該取得された画像データ中の任意の領域の画像を切り出して画像データを生成する電子ズーム撮影手段と、
前記画像データから所定の対象物を検出する対象物検出手段とを備えてなる撮影装置を使用した撮影方法において、
先ず撮影視野全体を撮影して画像データを取得する全体撮影を行い、
次に該全体撮影により取得された画像データから前記対象物検出手段により所定の対象物を検出し、前記電子ズーム撮影手段が前記検出された所定の対象物を切り出して画像データを生成することを特徴とする撮影方法。
【請求項２２】
被写体を撮像して画像データを取得する、ズームレンズを備えた撮像手段と、
該取得された画像データから所定の対象物を検出する対象物検出手段と、
被写体の明るさに応じて露出条件を決定する露出決定手段とを備えた撮影装置を使用し、前記露出決定手段により決定された露出条件に従って撮影を行う撮影方法において、
前記対象物検出手段が前記所定の対象物を検出し、
該検出された所定の対象物に表示されている表示内容の認証率が低いか否かを判断し、
前記認証率が低いと判断したときに、前記撮像手段が前記所定の対象物を含む視野を最大倍率まで拡大するように撮影倍率を変えるか、及び／又は、前記露出決定手段が前記露出条件を再度決定して前記撮影を行うことを特徴とする撮影方法。
【発明の詳細な説明】
【技術分野】
【０００１】
本発明は、デジタルカメラ等の撮影装置に関し、特に車両のナンバープレート等を撮影する撮影装置及び撮影方法に関するものである。
【背景技術】
【０００２】
近年、駐車違反等の交通規則違反が大きな社会問題となっており、特に駐車違反については、その監視業務が民間に委託される等して取締りが強化されている。駐車違反の取締りは、取り締まりの権限を有する者が違法車両を視認すると、ナンバープレートや車両全体等その車両を特定する情報を記録し、この情報から違反者を割り出すことにより、罰金や罰則の賦課等が行なわれる。
【０００３】
そこで、駐停車している車両のナンバープレートをデジタルカメラで撮影して、その静止画像データをメディアに記録し、このメディアから静止画像データを読み出してナンバープレートを認識処理することにより番号や文字等の情報を得、得られた情報を、情報を照合するための専用端末等に入力することにより車両を特定する自動車ナンバープレート読取入力装置が開示されている（特許文献１）。
【特許文献１】特開平８−６３５４４号公報
【発明の開示】
【発明が解決しようとする課題】
【０００４】
しかしながら、上記のようにナンバープレートから情報を得るためには、撮影された画像データが、文字や番号を認識できる状態でなければならない。ところがデジタルカメラでナンバープレートを撮影する際に、ナンバープレートは車両の下方に取り付けられているため、車両の陰となってナンバープレート付近が暗くなってしまう場合があり、上記のように文字や番号を認識可能な画像データを得るためには何度も撮影し直さなければならない場合がある。
【０００５】
一方、駐車違反の状況を証拠として記録するためには、ナンバープレートだけではなく、車両全体や背景等を含めた撮影画像が必要とされている。しかしながらこのような撮影画像を得るための撮影では、ナンバープレートに明るさを合せると車両や背景等が露出オーバーになってしまう虞がある。
【０００６】
本発明はかかる事情に鑑みてなされたものであり、２つの領域すなわち撮影視野全体と視野内の特定の領域あるいは対象物のそれぞれにおいて適切な明るさの撮影画像を取得することができる撮影装置及び撮影方法を提供することを目的とするものである。
【課題を解決するための手段】
【０００７】
本発明の撮影装置は、被写体を撮像して画像データを取得する撮像手段と、
該取得された画像データを表示する表示手段と、
被写体の明るさに応じて露出条件を決定する露出決定手段とを備え、
該露出決定手段により決定された露出条件に従って撮影を行う撮影装置において、
撮影視野内に予め設定された所定領域を前記表示手段に表示する領域表示手段をさらに備え、
前記露出決定手段が、前記撮影視野全体の明るさに基づく第一の露出条件と前記所定領域の明るさに基づく第二の露出条件とをそれぞれ決定し、
撮影時に、前記第一の露出条件に従った第一の撮影と、前記第二の露出条件に従った第二の撮影とを連続して行なうことを特徴とするものである。
【０００８】
前記撮像手段は、ズームレンズを備えてなるものであって、前記第二の撮影時に、前記所定領域を含む視野を最大倍率まで拡大するように撮影倍率を変えて撮影することができる。
【０００９】
また本発明の第二の撮影装置は、被写体を撮像して画像データを取得する、ズームレンズを備えた撮像手段と、
該取得された画像データを表示する表示手段とを備えてなる撮影装置において、
撮影視野内に予め設定された所定領域を前記表示手段に表示する領域表示手段をさらに備え、
撮影時に、撮影視野全体を撮影する全体撮影と、前記所定領域を含む視野を最大倍率まで拡大するように撮影倍率を変えて撮影する所定領域撮影とを連続して行なうことを特徴とするものである。
【００１０】
また本発明の第三の撮影装置は、被写体を撮像して画像データを取得する撮像手段と、
該取得された画像データを表示する表示手段と、
前記取得された画像データ中の任意の領域の画像を切り出して画像データを生成する電子ズーム撮影手段とを備えてなる撮影装置において、
撮影視野内に予め設定された所定領域を前記表示手段に表示する領域表示手段をさらに備え、
撮影時に、撮影視野全体を撮影して画像データを取得する全体撮影を行い、該全体撮影手段により取得された画像データから前記電子ズーム撮影手段が前記所定領域を切り出して所定領域の画像データを生成することを特徴とするものである。
【００１１】
また本発明の第四の撮影装置は、被写体を撮像して画像データを取得する撮像手段と、
該取得された画像データを表示する表示手段と、
被写体の明るさに応じて露出条件を決定する露出決定手段とを備え、
該露出決定手段により決定された露出条件に従って撮影を行う撮影装置において、
前記画像データから所定の対象物を検出する対象物検出手段をさらに備え、
前記露出決定手段が、前記撮影視野全体の明るさに基づく第一の露出条件と前記対象物検出手段により検出された所定の対象物の明るさに基づく第二の露出条件とをそれぞれ決定し、
撮影時に、前記第一の露出条件に従った第一の撮影と、前記第二の露出条件に従った第二の撮影とを連続して行なうことを特徴とするものである。
【００１２】
なお第四の撮影装置は、前記対象物検出手段により検出された所定の対象物に表示されている表示内容を認証する自動認証手段と、
該自動認証手段により認証率が低いか否かを判断する判断手段とをさらに備え、
該判断手段により前記認証率が低いと判断されたときに、前記露出決定手段が前記第二の露出条件を再度決定してから撮影を行ってもよい。
【００１３】
また第四の撮影装置は、前記撮像手段が、ズームレンズを備えてなるものであって、前記第二の撮影時に、前記所定の対象物を含む最大倍率まで拡大するように撮影倍率を変えて撮影することができる。
【００１４】
この場合、前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記撮像手段が前記所定の対象物を含む視野を最大倍率まで拡大するように撮影倍率を変えるか、及び／又は、前記露出決定手段が前記第二の露出条件を再度決定してから撮影を行ってもよい。
【００１５】
また本発明の第五の撮影装置は、被写体を撮像して画像データを取得する、ズームレンズを備えた撮像手段と、
該取得された画像データを表示する表示手段とを備えてなる撮影装置において、
前記画像データから所定の対象物を検出する対象物検出手段をさらに備え、
撮影時に、撮影視野全体を撮影する全体撮影と、前記対象物検出手段により検出された所定の対象物を含む視野を最大倍率まで拡大するように撮影倍率を変えて撮影する対象物撮影とを連続して行なうことを特徴とするものである。
【００１６】
なお第五の撮影装置は、前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記撮像手段が前記所定の対象物を含む視野を最大倍率まで拡大するように撮影倍率を変えてから撮影を行ってもよい。
【００１７】
また本発明の第六の撮影装置は、被写体を撮像して画像データを取得する撮像手段と、
該取得された画像データ中の任意の領域の画像を切り出して画像データを生成する電子ズーム撮影手段とを備えてなる撮影装置において、
前記画像データから所定の対象物を検出する対象物検出手段をさらに備え、
撮影時に、撮影視野全体を撮影して画像データを取得する全体撮影を行い、該全体撮影により取得された画像データから前記対象物検出手段が前記所定の対象物を検出し、前記電子ズーム撮影手段が前記検出された所定の対象物を切り出して画像データを生成することを特徴とするものである。
【００１８】
また本発明の第七の撮影装置は、被写体を撮像して画像データを取得する、ズームレンズを備えた撮像手段と、
該取得された画像データから所定の対象物を検出する対象物検出手段と、
被写体の明るさに応じて露出条件を決定する露出決定手段とを備えてなり、
該露出決定手段により決定された露出条件に従って撮影を行う撮影装置において、
前記対象物検出手段により検出された所定の対象物に表示されている表示内容を認証する自動認証手段と、
該自動認証手段による認証率が低いか否かを判断する判断手断とをさらに備え、
該判断手段により前記認証率が低いと判断されたときに、前記撮像手段が前記所定の対象物を含む視野を最大倍率まで拡大するように撮影倍率を変えるか、及び／又は、前記露出決定手段が前記露出条件を再度決定してから撮影を行うことを特徴とするものである。
【００１９】
なお本発明の撮影装置は、前記所定の対象物がナンバープレートであり、前記表示内容がナンバープレートに表示された文字及び／又は数字であって、
前記自動認証手段により認証された文字／及び数字に応じた名前のフォルダを作成するフォルダ作成部をさらに備え、
該フォルダ作成部により作成されたフォルダに、前記撮影により取得した画像データを記録してもよい。
【００２０】
本発明の撮影装置は、被写体距離を検出する測距手段をさらに備え、
該測距手段により検出された値を前記表示手段に表示させる測距結果表示手段を備えていてもよい。
【００２１】
本発明の撮影装置は、撮影により取得された画像データの内容に応じてそれぞれファイル名を生成して付与するファイル名生成手段を備えていてもよい。
【００２２】
本発明の撮影方法は、被写体を撮像して画像データを取得する撮像手段と、
該取得された画像データを表示する表示手段と、
被写体の明るさに応じて露出条件を決定する露出決定手段とを備えた撮影装置を使用し、前記露出決定手段により決定された露出条件に従って撮影を行う撮影方法において、
撮影視野内に予め所定領域を設定し、
該設定した所定領域を前記表示手段に表示し、
前記露出決定手段により前記撮影視野全体の明るさに基づく第一の露出条件と前記所定領域の明るさに基づく第二の露出条件とをそれぞれ決定し、
撮影時に、前記第一の露出条件に従った第一の撮影と、前記第二の露出条件に従った第二の撮影とを連続して行うことを特徴とするものである。
【００２３】
また本発明の第二の撮影方法は、被写体を撮像して画像データを取得する、ズームレンズを備えた撮像手段と、
該取得された画像データを表示する表示手段とを備えてなる撮影装置を使用した撮影方法において、
撮影視野内に予め所定領域を設定し、
該設定した所定領域を前記表示手段に表示し、
撮影時に、撮影視野全体を撮影する全体撮影と、前記所定領域を含む視野を最大倍率まで拡大するように撮影倍率を変えて撮影する所定領域撮影とを連続して行うことを特徴とするものである。
【００２４】
また本発明の第三の撮影方法は、被写体を撮像して画像データを取得する撮像手段と、
該取得された画像データを表示する表示手段と、
前記取得された画像データ中の任意の領域の画像を切り出して画像データを生成する電子ズーム撮影手段とを備えてなる撮影装置を使用した撮影方法において、
撮影視野内に予め所定領域を設定し、
該設定した所定領域を前記表示手段に表示し、
先ず撮影視野全体を撮影して画像データを取得する全体撮影を行い、
次に前記電子ズーム撮影手段が前記全体撮影により取得された画像データから前記所定領域を切り出して所定領域の画像データを生成することを特徴とするものである。
【００２５】
また本発明の第四の撮影方法は、被写体を撮像して画像データを取得する撮像手段と、
該取得された画像データを表示する表示手段と、
前記画像データから所定の対象物を検出する対象物検出手段と、
被写体の明るさに応じて露出条件を決定する露出決定手段とを備えた撮影装置を使用し、前記露出決定手段により決定された露出条件に従って撮影を行う撮影方法において、
前記対象物検出手段が前記画像データから所定の対象物を検出し、
前記露出決定手段が、前記撮影視野全体の明るさに基づく第一の露出条件と前記対象物検出手段により検出された所定の対象物の明るさに基づく第二の露出条件とをそれぞれ決定し、
撮影時に、前記第一の露出条件に従った第一の撮影と、前記第二の露出条件に従った第二の撮影とを連続して行なうことを特徴とするものである。
【００２６】
また本発明の第五の撮影方法は、被写体を撮像して画像データを取得する、ズームレンズを備えた撮像手段と、
該取得された画像データを表示する表示手段と、
前記画像データから所定の対象物を検出する対象物検出手段とを備えてなる撮影装置を使用した撮影方法において、
前記対象物検出手段が前記画像データから所定の対象物を検出し、
先ず撮影視野全体を撮影する全体撮影を行い、
次に前記検出された所定の対象物を含む視野を最大倍率まで拡大するように撮影倍率を変えて撮影する対象物撮影を行うことを特徴とするものである。
【００２７】
また本発明の第六の撮影方法は、被写体を撮像して画像データを取得する撮像手段と、
該取得された画像データ中の任意の領域の画像を切り出して画像データを生成する電子ズーム撮影手段と、
前記画像データから所定の対象物を検出する対象物検出手段とを備えてなる撮影装置を使用した撮影方法において、
先ず撮影視野全体を撮影して画像データを取得する全体撮影を行い、
次に該全体撮影により取得された画像データから前記対象物検出手段により所定の対象物を検出し、前記電子ズーム撮影手段が前記検出された所定の対象物を切り出して画像データを生成することを特徴とするものである。
【００２８】
また本発明の第七の撮影方法は、被写体を撮像して画像データを取得する、ズームレンズを備えた撮像手段と、
該取得された画像データから所定の対象物を検出する対象物検出手段と、
被写体の明るさに応じて露出条件を決定する露出決定手段とを備えた撮影装置を使用し、前記露出決定手段により決定された露出条件に従って撮影を行う撮影方法において、
前記対象物検出手段が前記所定の対象物を検出し、
該検出された所定の対象物に表示されている表示内容の認証率が低いか否かを判断し、
前記認証率が低いと判断したときに、前記撮像手段が前記所定の対象物を含む視野を最大倍率まで拡大するように撮影倍率を変えるか、及び／又は、前記露出決定手段が前記露出条件を再度決定して前記撮影を行うことを特徴とするものである。
【発明の効果】
【００２９】
本発明の撮影装置及び撮影方法によれば、撮影視野全体の明るさに基づく第一の露出条件と撮影視野内に予め設定された所定領域の明るさに基づく第二の露出条件とをそれぞれ決定し、撮影時に、第一の露出条件に従った第一の撮影と、第二の露出条件に従った第二の撮影とを連続して行うので、それぞれの領域においてそれぞれ適切な明るさの撮影画像を取得することができる。これにより例えば駐停車違反車両を撮影するときに、ユーザが撮影視野内に車両全体や背景等を入れ、所定領域にナンバープレートを入れて画角を決定し撮影指示することにより、一度の撮影指示で車両全体や背景等に対して適切な明るさの撮影画像と、ナンバープレートに対して適切な明るさの撮影画像とを取得することができるので、車両全体と背景等が写った駐車状況を確認可能な証拠写真と、ナンバープレートの文字や数字等の表示内容を容易に読み取ることができ駐車車両を特定可能な写真とを得ることができる。
【発明を実施するための最良の形態】
【００３０】
以下、本発明にかかる一実施形態の撮影装置について図面を参照して詳細に説明する。尚、以下の実施形態では、本発明における撮影装置としてデジタルカメラを例に説明するが、本発明の適用範囲はこれに限定されず、例えば、カメラ付き携帯電話、カメラ付きＰＤＡ等、電子撮像機能を備えた他の電子機器に対しても適用可能である。
【００３１】
図１及び図２は、デジタルカメラの一例を示すものであり、それぞれ背面側及び正面側から見た外観図である。デジタルカメラ１の本体１０の背面には、図１に示す如く、ユーザによる操作のためのインターフェースとして、動作モードスイッチ１１、メニュー／ＯＫボタン１２、ズーム／上下レバー１３、左右ボタン１４、Ｂａｃｋ（戻る）ボタン１５、表示切替ボタン１６が設けられ、更に撮影のためのファインダ１７、撮影並びに再生のためのモニタ（表示手段）１８及びレリーズボタン１９が設けられている。
【００３２】
動作モードスイッチ１１は、静止画撮影モード、動画撮影モード、再生モードの各動作モードを切り替えるためのスライドスイッチである。メニュー／ＯＫボタン１２は、押下される毎に撮影モード、フラッシュ発光モード、駐車撮影モード、セルフタイマー等のＯＮ／ＯＦＦを行ったり、記録画素数や感度等の設定を行うための各種メニューをモニタ１８に表示させたり、モニタ１８に表示されたメニューに基づく選択・設定を決定するためのボタンである。なお駐車撮影モードは、駐車違反車両を証拠として記録するために撮影を行うモードであり、該モードが選択されると、後述の領域表示部６５が起動する。
【００３３】
ズーム／上下レバー１３は、上下方向に倒すことによって、撮影時には望遠／広角の調整が行われ、各種設定時にはモニタ１８に表示されるメニュー画面中のカーソルが上下に移動して表示される。左右ボタン１４は、各種設定時にモニタ１８に表示されるメニュー画面中のカーソルを左右に移動して表示させるためのボタンである。
【００３４】
Ｂａｃｋ（戻る）ボタン１５は、押下されることによって各種設定操作を中止し、モニタ１８に１つ前の画面を表示するためのボタンである。表示切替ボタン１６は、押下することによってモニタ１８の表示のＯＮ／ＯＦＦ、各種ガイド表示、文字表示のＯＮ／ＯＦＦ等を切り替えるためのボタンである。ファインダ１７は、ユーザが被写体を撮影する際に構図やピントを合わせるために覗くためのものである。ファインダ１７から見える被写体像は、本体１０の正面にあるファインダ窓２３を介して映し出される。
【００３５】
以上説明した各ボタン及びレバーの操作によって設定された内容は、モニタ１８中の表示や、ファインダ１７内のランプ、スライドレバーの位置等によって確認可能となっている。また、モニタ１８には、撮影の際に被写体確認用のスルー画像が表示される。これにより、モニタ１８は電子ビューファインダとして機能する他、撮影後の静止画や動画の再生表示、各種設定メニューの表示を行う。ユーザによってレリーズボタン１９が半押し操作されると、後述するＡＥ処理及びＡＦ処理が行われ、レリーズボタン１９が全押し操作されると、ＡＥ処理及びＡＦ処理によって出力されたデータに基づいて撮影が行われ、モニタ１８に表示された画像が撮影画像として記録される。
【００３６】
更に、本体１０の正面には、図２に示す如く、撮影レンズ２０、レンズカバー２１、電源スイッチ２２、ファインダ窓２３、フラッシュライト２４及びセルフタイマーランプ２５が設けられ、側面にはメディアスロット２６が設けられている。
【００３７】
撮影レンズ２０は、被写体像を所定の結像面上（本体１０内部にあるＣＣＤ等）に結像させるためのものであり、フォーカスレンズやズームレンズ等によって構成される。レンズカバー２１は、デジタルカメラ１の電源がオフ状態のとき、再生モードであるとき等に撮影レンズ２０の表面を覆い、汚れやゴミ等から撮影レンズ２０を保護するものである。電源スイッチ２２は、デジタルカメラ１の電源のオン／オフを切り替えるためのスイッチである。フラッシュライト２４は、レリーズボタン１９が押下され、本体１０の内部にあるシャッタが開いている間に、撮影に必要な光を被写体に対して瞬間的に照射するためのものである。セルフタイマーランプ２５は、セルフタイマーによって撮影する際に、シャッタの開閉タイミングすなわち露光の開始及び終了を被写体に知らせるためものである。メディアスロット２６は、メモリカード等の外部記録メディア７０が充填されるための充填口であり、外部記録メディア７０が充填されると、データの読み取り／書き込みが行われる。
【００３８】
図３にデジタルカメラ１の機能構成を示すブロック図を示す。図３に示す如く、デジタルカメラ１の操作系として、前述の動作モードスイッチ１１、メニュー／ＯＫボタン１２、ズーム／上下レバー１３、左右ボタン１４、Ｂａｃｋ（戻り）ボタン１５、表示切替ボタン１６、レリーズボタン１９、電源スイッチ２２と、これらのスイッチ、ボタン、レバー類の操作内容をＣＰＵ７５に伝えるためのインターフェースである操作系制御部７４が設けられている。
【００３９】
また、撮影レンズ２０を構成するものとして、フォーカスレンズ２０ａ及びズームレンズ２０ｂが設けられている。これらの各レンズは、モータとモータドライバからなるフォーカスレンズ駆動部５１、ズームレンズ駆動部５２によってステップ駆動され、光軸方向に移動可能な構成となっている。フォーカスレンズ駆動部５１は、ＡＦ処理部６２から出力されるフォーカス駆動量データに基づいてフォーカスレンズ２０ａをステップ駆動する。ズームレンズ駆動部５２は、ズーム／上下レバー１３の操作量データに基づいてズームレンズ２０ｂのステップ駆動を制御する。
【００４０】
絞り５４は、モータとモータドライバとからなる絞り駆動部５５によって駆動される。この絞り駆動部５５は、ＡＥ（自動露出）／ＡＷＢ（オートホワイトバランス）処理部（露出決定手段）６３から出力される絞り値データに基づいて絞り５４の絞り径の調整を行う。
【００４１】
シャッタ５６は、メカニカルシャッタであり、モータとモータドライバとからなるシャッタ駆動部５７によって駆動される。シャッタ駆動部５７は、レリーズボタン１９の押下信号と、ＡＥ／ＡＷＢ処理部６３から出力されるシャッタ速度データとに応じてシャッタ５６の開閉の制御を行う。
【００４２】
上記光学系の後方には、撮影素子であるＣＣＤ（撮像手段）５８を有している。ＣＣＤ５８は、多数の受光素子がマトリクス状に配置されてなる光電面を有しており、光学系を通過した被写体像が光電面に結像され、光電変換される。光電面の前方には、各画素に光を集光させるためのマイクロレンズアレイ（不図示）と、ＲＧＢ各色のフィルタが規則的に配列されてなるカラーフィルタアレイ（不図示）とが配置されている。ＣＣＤ５８は、ＣＣＤ制御部５９から供給される垂直転送クロック信号及び水平転送クロック信号に同期して、画素毎に蓄積された電荷を１ラインずつ読み出して画像信号として出力する。各画素における電荷の蓄積時間（即ち露出時間）は、ＣＣＤ制御部５９から与えられる電子シャッタ駆動信号によって決定される。
【００４３】
ＣＣＤ５８が出力する画像像信号は、アナログ信号処理部６０に入力される。このアナログ信号処理部６０は、画像信号のノイズ除去を行う相関２重サンプリング回路（ＣＤＳ）と、画像信号のゲイン調整を行うオートゲインコントローラ（ＡＧＣ）と、画像信号をデジタル画像データに変換するＡ／Ｄコンバータ（ＡＤＣ）とからなる。そしてデジタル画像データは、画素毎にＲＧＢの濃度値を持つＣＣＤ−ＲＡＷデータである。
【００４４】
タイミングジェネレータ７２は、タイミング信号を発生させるものであり、このタイミング信号がシャッタ駆動部５７、ＣＣＤ制御部５９、アナログ信号処理部６０に入力されて、レリーズボタン１９の操作と、シャッタ５６の開閉、ＣＣＤ５８の電荷取り込み、アナログ信号処理６０の処理の同期が取られる。フラッシュ制御部７３は、フラッシュライト２４の発光動作を制御する。
【００４５】
画像入力コントローラ６１は、上記アナログ信号処理部６０から入力されたＣＣＤ−ＲＡＷデータをフレームメモリ６８に書き込む。このフレームメモリ６８は、画像データに対して後述の各種デジタル画像処理（信号処理）を行う際に使用する作業用メモリであり、例えば、一定周期のバスクロック信号に同期してデータ転送を行うＳＤＲＡＭ（Synchronous Dynamic Random Access Memory）から構成されている。
【００４６】
表示制御部７１は、フレームメモリ６８に格納された画像データをスルー画像としてモニタ１８に表示させるためのものであり、例えば、輝度（Ｙ）信号と色（Ｃ）信号を一緒にして１つの信号としたコンポジット信号に変換して、モニタ１８に出力する。スルー画像は、撮影モードが選択されている間、所定時間間隔で取得されてモニタ１８に表示される。また、表示制御部７１は、外部記録メディア７０に記憶され、メディア制御部６９によって読み出された画像ファイルに含まれる画像データに基づいた画像をモニタ１８に表示させる。
【００４７】
ＡＦ処理部６２およびＡＥ／ＡＷＢ処理部６３は、プレ画像に基づいて撮影条件を決定する。このプレ画像とは、レリーズボタン１９が半押しされることによって発生する半押し信号を検出したＣＰＵ７５がＣＣＤ５８にプレ撮影を実行させた結果、フレームメモリ６８に格納された画像データに基づいた画像である。
【００４８】
ＡＦ処理部６２は、プレ画像に基づいて焦点位置を検出し、フォーカスレンズ駆動量データを出力する（ＡＦ処理）。本実施の形態においては、焦点位置の検出方法としては、例えば、所望とする被写体にピントが合った状態では画像の合焦評価値（コントラスト値）が高くなるという特徴を利用して、合焦位置を検出するパッシブ方式が考えられる。
【００４９】
ＡＥ／ＡＷＢ処理部（露出決定手段）６３は、プレ画像に基づいて被写体輝度（明るさ）を測定し、測定した被写体輝度に基づいて絞り値やシャッタ速度等を決定し、絞り値データやシャッタ速度データを出力すると共に（ＡＥ処理）、撮影時のホワイトバランスを自動調整する（ＡＷＢ処理）。なお、露出およびホワイトバランスについては、撮影モードがマニュアルモードに設定されている場合には、デジタルカメラ１の撮影者がマニュアル操作により設定可能である。また、露出およびホワイトバランスが自動で設定された場合にも、撮影者が操作系１０から指示を行うことにより、露出およびホワイトバランスをマニュアル調整することが可能である。
【００５０】
画像処理部６４は、本画像の画像データに対してガンマ補正、シャープネス補正、コントラスト補正等の画質補正処理を施すと共に、ＣＣＤ−ＲＡＷデータを輝度信号であるＹデータと、青色色差信号であるＣｂデータ及び赤色色差信号であるＣｒデータとからなるＹＣデータに変換するＹＣ処理を行う。この本画像とは、レリーズボタン１９が全押しされることによってＣＣＤ５８から画像信号が出力され、アナログ信号処理部６０、画像入力コントローラ６１経由でフレームメモリ６８に格納された画像データに基づいた画像である。
【００５１】
本画像の画素数の上限はＣＣＤ５８の画素数によって決定されるが、例えば、ユーザが設定可能な画質設定（ファイン、ノーマル等の設定）により、記録画素数を変更することができる。一方、スルー画像やプレ画像の画素数は本画像より少なくてもよく、例えば、本画像の１／１６程度の画素数で取り込まれてもよい。
【００５２】
圧縮／伸長処理部６５は、画像処理部６４によって画質補正等の処理が行われた画像データに対して、例えばＪＰＥＧ等の圧縮形式で圧縮処理を行って、画像ファイルを生成する。この画像ファイルには、各種データ形式に基づいて付帯情報が付加される。またこの圧縮／伸長処理部６５は、再生モードにおいては外部記録メディア７０から圧縮された画像ファイルを読み出し、伸長処理を行う。伸長後の画像データは表示制御部７１に出力され、表示制御部７１は画像データに基づいた画像をモニタ１８に表示する。
【００５３】
領域表示部６６は、上述した駐車撮影モードがＯＮされたときに、撮影視野Ａ１内に予め設定された所定領域Ａ２をモニタ１８に表示する。なお所定領域Ａ２はモニタ１８に枠で表示され、この枠内部が所定領域Ａ２となる。ここで図４に所定領域Ａ２の表示例を示す。図４（ａ）は撮影視野Ａ１が横長のとき、図４（ｂ）は撮影視野Ａ１が縦長のときの表示例である。
【００５４】
所定領域Ａ２は、図４（ａ）、（ｂ）に示す如く、撮影視野Ａ１内に、道路や建物等を含む背景と駐車違反車両全体とが収まったときに、ナンバープレートが位置する可能性の高い領域に設定される。なお所定領域Ａ２の大きさは、ナンバープレートの大きさが一定であるため、撮影視野Ａ１内に道路や木、建物等を含む背景と駐車違反車両全体とが収まったときのナンバープレートの大きさに設定される。このとき車種等による車両の大きさの違いや、撮影視野Ａ１全体に占める車両全体の大きさの誤差等を考慮して、所定領域Ａ２は若干大きめに設定する。
【００５５】
そして撮影視野Ａ１が横長のときは、図４（ａ）に示す如く、撮影視野Ａ１内の中心より若干下方に位置して設定され、撮影視野Ａ２が縦長のときも同様に、図４（ｂ）に示す如く、撮影視野Ａ１内の中心よりも若干下方に位置して設定される。
【００５６】
なお撮影視野Ａ１内に、道路や木、建物等を含む背景と駐車違反車両全体が収まる画角がユーザにより決定されたときに、所定領域Ａ２内にナンバープレートが位置しない場合には、例えばズーム／上下レバー１３、左右ボタン１４を操作することにより所定領域Ａ２を移動させて所定領域Ａ２内にナンバープレートが位置するようにしてもよい。
【００５７】
内部メモリ６７は、デジタルカメラ１において設定される各種定数、およびＣＰＵ７５が実行するプログラム等を格納する。またこの内部メモリ６７には、上述の所定領域Ａ２の設定値が記憶されていて、記憶された設定値は、例えばモニタ１８に表示させて選択すること等によりユーザによって任意に設定可能に構成されている。
【００５８】
ファイル名生成部７７は、撮影により取得された画像データの内容に応じてそれぞれファイル名を生成して付与する。
【００５９】
メディア制御部６９は、図２におけるメディアスロット２６に相当し、外部記録メディア７０に記憶された画像ファイル等の読み出し、又は画像ファイルの書き込みを行う。
【００６０】
ＣＰＵ７５は、各種ボタン、レバー、スイッチの操作や各機能ブロックからの信号に応じて、デジタルカメラ１の本体各部を制御する。またデータバス７６は、画像入力コントローラ６１、各種処理部６２〜６５、領域表示部６６、内部メモリ６７、フレームメモリ６８、各種制御部６９、７１、及びＣＰＵ７５に接続されており、このデータバス７６を介して各種信号、データの送受信が行われる。本実施形態のデジタルカメラ１はこのように構成される。
【００６１】
次に、上記構成のデジタルカメラ１において駐車撮影モード時に行われる処理について説明する。図５はデジタルカメラ１の一連の処理のフローチャートである。まず図５に示す如く、ＣＰＵ７５は、動作モードスイッチ１１の設定に従って、動作モードを判別する（ステップＳ１）。再生モードの場合（ステップＳ１；再生）、再生処理が行われる（ステップＳ１６）。この再生処理は、メディア制御部６９が外部記録メディア７０に記憶された画像ファイルを読み出し、画像ファイルに含まれる画像データに基づいた画像をモニタ１８に表示させるための処理である。再生処理が終了したら、ＣＰＵ７５はデジタルカメラ１の電源スイッチ２２によってオフ操作がなされたか否かを判別し（ステップＳ１５）、オフ操作がなされていたら（ステップＳ１５；ＹＥＳ）、デジタルカメラ１の電源をオフし、処理を終了する。オフ操作がなされていなかったら（ステップＳ１５；ＮＯ）、ステップＳ１へ処理を移行する。
【００６２】
一方、ステップＳ１において動作モードが駐車撮影モードであると判別された場合（ステップＳ１；駐車撮影）、ＣＰＵ７５はスルー画像の表示制御を行う（ステップＳ２）。スルー画像の表示とは、フレームメモリ６８に格納された画像データをモニタ１８に表示する処理である。そして領域表示部６６がモニタ１８に所定領域Ａ２を表示する（ステップＳ３）。なおここでユーザにより、所定領域Ａ２の表示されたモニタ１８が確認されて、撮影視野Ａ１に道路や木、建物等を含む背景と駐車違反車両全体が収まり、かつ、所定領域Ａ２にナンバープレートが収まるように画角が調整される。
【００６３】
次に、ＣＰＵ７５はレリーズボタン１９が半押しされたか否かを判別し（ステップＳ４）、半押されていない場合は（ステップＳ４；ＮＯ）ＣＰＵ７５はステップＳ２へ処理を移行し、レリーズボタン１９が半押しされるまでステップＳ２以降の処理を繰り返す。半押されている場合は（ステップＳ４；ＹＥＳ）はＡＥ／ＡＷＢ処理部６３が、撮影視野全体Ａ１に対してＡＥ処理を行い第一の露出条件を決定する（ステップＳ５）。
【００６４】
そしてさらに、ＡＥ／ＡＷＢ処理部６３は、領域表示部６６によりモニタ１８に表示されている所定領域Ａ２に対してＡＥ処理を行い、第二の露出条件を決定する（ステップＳ６）。次にＡＦ処理部６２が、撮影視野Ａ１の中央領域に対してＡＦ処理を行い、合焦位置を決定する（ステップＳ７）。
【００６５】
なお本実施形態では、所定領域Ａ２よりも撮影視野全体Ａ１の領域に対するＡＥ処理を先に行なったが、本発明はこれに限られるものではなく、所定領域Ａ２に対するＡＥ処理を先に行なってもよい。またＡＦ処理は被写体すなわち撮影視野Ａ１の中央領域に対して行なったが本発明はこれに限られるものではなく、例えば所定領域Ａ２に対して行ってもよい。
【００６６】
次にＣＰＵ７５はレリーズボタン１９の半押しが解除されたか否かを判別する（ステップＳ８）。そして半押しが解除された場合は（ステップＳ８；ＹＥＳ）ＣＰＵ７５はステップＳ２へ処理を移行し、半押しが解除されていない場合は（ステップＳ８；ＮＯ）、ＣＰＵ７５はレリーズボタン１９が全押しされたか否かを判別する（ステップＳ９）。
【００６７】
レリーズボタン１９が全押しされていない場合は（ステップＳ９；ＮＯ）、全押しされるまでステップＳ８の処理を繰り返し、レリーズボタン１９が全押しされた場合は（ステップＳ９；ＹＥＳ）、ステップＳ５にて決定された第一の露出条件に従って第一の撮影を行い（ステップＳ１０）、続いてステップＳ６にて決定された第二の露出条件に従って第二の撮影を行う（ステップＳ１１）。なお本実施形態では第一の撮影を第二の撮影より先に行なったが、本発明はこれに限られるものではなく、第二の撮影を先に行ってもよい。
【００６８】
そして次に、第一の撮影及び第二の撮影により取得された２つの画像に対して画像処理部６４が画像処理を施す（ステップＳ１２）。なおこのとき画像処理が施された画像デー
タに対してさらに圧縮／伸長処理部によって圧縮処理が施されて画像ファイルが生成されてもよい。
【００６９】
そして次に、ファイル名生成部７７は、第一の撮影により得られた第一の画像データと第二の撮影により得られた第二の画像データとを、それぞれ、第一の撮影と第二の撮影のどちらにより得られた画像データなのかが分るようにファイル名を生成する（ステップＳ１３）。例えば、第一の撮影により得られた撮影視野全体Ａ１の画像データのファイル名の末尾をａ１とし、第二の撮影により得られた所定領域Ａ２の画像データのファイル名の末尾をａ２としてもよい。
【００７０】
次にＣＰＵ７５は、画像処理が施された画像をモニタ１８に表示する処理を行うと共に上述のように生成されたファイル名で外部記録メディア７０に記憶する（ステップＳ１４）。そしてＣＰＵ７５は電源スイッチ２２によってオフ操作がなされたか否かを判別し（ステップＳ１５）、オフ操作がなされていたら（ステップＳ１５；ＹＥＳ）、デジタルカメラ１の電源をオフし、処理を終了する。オフ操作がなされていなかったら（ステップＳ１５；ＮＯ）、ステップＳ１へ処理を移行し、ステップＳ１以降の処理を繰り返す。このようにしてデジタルカメラ１による撮影は行われる。
【００７１】
上記のデジタルカメラ１及びデジタルカメラ１を使用した撮影方法によれば、撮影視野Ａ１全体の明るさに基づく第一の露出条件と撮影視野Ａ１内に予め設定された所定領域Ａ２の明るさに基づく第二の露出条件とをそれぞれ決定し、撮影時に、第一の露出条件に従った第一の撮影と、第二の露出条件に従った第二の撮影とを連続して行うので、撮影視野Ａ１全体と所定領域Ａ２の２つの領域それぞれにおいて、適切な明るさの撮影画像を取得することができる。
【００７２】
これにより例えば駐停車違反車両を撮影するときに、ユーザが撮影視野Ａ１内に車両全体や背景等を入れ、所定領域Ａ２にナンバープレートを入れて画角を決定し撮影指示することにより、一度の撮影指示で車両全体や背景等に対して適切な明るさの撮影画像と、ナンバープレートに対して適切な明るさの撮影画像とを取得することができるので、車両全体と背景等が写った駐車状況を確認可能な証拠写真と、ナンバープレートの文字や数字等の表示内容を容易に読み取ることができて駐車車両を特定することが可能な写真とを得ることができる。
【００７３】
次に本発明の撮影装置にかかる第二の実施形態のデジタルカメラ１−２を説明する。図６にデジタルカメラ１−２の機能構成を示すブロック図を示す。なお本実施形態のデジタルカメラ１−２は、上述した実施形態のデジタルカメラ１と略同様の構成であるため、同一箇所を同一符号で示して説明を省略し、異なる箇所についてのみ説明する。
【００７４】
本実施形態のデジタルカメラ１−２は、図６に示す如く、上述の実施形態のデジタルカメラ１の構成にさらに、測距センサ（測距手段）７８及び測距結果表示部（測距結果表示手段）７９を備えたものである。
【００７５】
測距センサ７８は、図示は省略するがデジタルカメラ１−２の正面に配設され、被写体に対して発光部から光を発し、被写体に反射して戻ってきた光を受光し、発光部と受光部のなす角から被写体までの距離（以下、被写体距離という）を算出する三角測距センサである。なお上述の実施形態のデジタルカメラ１のＡＦ処理部６２はパッシブ方式としたが
本実施形態のデジタルカメラ１−２のＡＦ処理部６２は、測距センサ７８による測距結果を使用するアクティブ方式でもよい。
【００７６】
測距結果表示部７９は、上述の測距センサ７８により算出された被写体距離の値すなわち測距結果を、ＣＰＵ７５を介してモニタ１８に表示させる。ここで図７に測距結果表示部７９による測距結果の表示の一例を示す。測距結果Ｎは、図７に示す如く、モニタ１８の画面右側に配設された棒グラフＢにより表示される。棒グラフＢは例えば１ｍから１０ｍまでの範囲の測距結果を表示可能であり、駐車違反車両を被写体とするときに、例えば被写体距離を２ｍ〜４ｍまでの範囲にしたい場合には、この範囲を目標距離範囲Ｔとして棒グラフＢ中に横線を配設する等して確認可能にし、測距結果Ｎを別色の四角形等で表示する。
【００７７】
このとき目標距離範囲Ｔは、撮影画像からナンバープレートの文字や数字が読み取れる大きさで、駐車違反車両が撮影できる距離範囲とし、この距離範囲は画素数や品質等デジタルカメラ１−２自体の性能によって異なるものとなるのでデジタルカメラ１−２の性能により予め設定される。
【００７８】
これにより例えば駐車違反車両を撮影するときに、ユーザが駐車違反車両までの距離を容易に確認することができるので、目標とする被写体距離で撮影を行うことが可能となる。従って、撮影画像において車両が大きかったり小さかったりするのを防ぎ撮影画像中の車両の大きさを略一定にすることができ、撮影画像の管理がし易くなる。なお本実施形態のデジタルカメラ１−２の測距結果表示部７９は、測距結果を棒グラフＢにより表示するが、本発明はこれに限られるものではなく、例えばモニタ１８に数字で表示させてもよく、適宜変更可能である。
【００７９】
また上記構成のデジタルカメラ１−２において駐車撮影モード時に行われる処理は、上述の実施形態のデジタルカメラ１の図５の処理と略同様であるため説明は省略する。なお上述の測距結果表示部７９による測距結果の表示は、図５のステップＳ２にてスルー画が表示された後に行うが、本発明はこれに限られるものではなく、例えば図５のステップＳ４にてレリーズボタン１９が半押しされたときにステップＳ５からステップＳ７の処理と平行して行ってもよいし、適宜変更可能である。このようにしてデジタルカメラ１−２による撮影は行われる。
【００８０】
次に本発明の撮影装置にかかる第三の実施形態のデジタルカメラ１−３について説明する。本実施形態のデジタルカメラ１−３は、上述した第一の実施形態のデジタルカメラ１又は第二の実施形態のデジタルカメラ１−２と同様の構成とし、このような構成のデジタルカメラ１−３において駐車撮影モード時に行われる処理について説明する。図８はデジタルカメラ１−３の一連の処理のフローチャート、図９はデジタルカメラ１−３における光学ズームの一実施例である。なお図８は図５のフローチャートと概略同じ処理であるため、重複する箇所は同じ番号で示して説明を省略する。
【００８１】
本実施形態のデジタルカメラ１−３は、図８Ｂに示す如く、図８ＡのステップＳ５にて決定された第一の露出条件に従って撮影視野全体を撮影する第一の撮影（全体撮影）を行った後（ステップＳ１０）、ズームレンズ駆動部５２がズームレンズ２０ｂのステップ駆動を制御することにより撮影倍率の変更すなわち光学ズームを行う（ステップＳ１７）。
【００８２】
光学ズームは、図９（ａ）に示す如く、撮影視野Ａ１内に、道路や木、建物等を含む背景と駐車違反車両全体が収まる画角の所定撮影倍率から、所定領域Ａ２を拡大する撮影倍率に変更することにより行われる。なおステップＳ７でＡＦ処理部６２により撮影視野Ａ１の中央領域に対してＡＦ処理が行われ合焦位置が決定されているので、光学ズームは撮影視野Ａ１の略中央を中心にして拡大又は縮小される。従って撮影倍率は、図９（ｂ）に示す如く、所定領域Ａ２を含む最大倍率まで拡大するように変更される。なお図９（ｂ）にて撮影倍率の変更後は撮影視野Ａ’とする。
【００８３】
そして上記のように光学ズームを行った後（ステップＳ１７）、ＣＰＵ７５は、光学ズーム後の、すなわち所定領域Ａ２が拡大されたスルー画像すなわち撮影視野Ａ’をモニタ１８に表示し（ステップＳ１８）、ステップＳ６にて決定された第二の露出条件に従って所定領域を拡大して撮影する第二の撮影（所定領域撮影）を行う（ステップＳ１１）。このようにしてデジタルカメラ１−３による撮影は行われる。
【００８４】
上記のデジタルカメラ１−３及びデジタルカメラ１−３による撮影方法によれば、撮影視野全体を撮影する全体撮影と、所定領域を拡大して撮影する所定領域撮影とを連続して行うので、例えば駐停車違反車両を撮影するときに、ユーザが撮影視野内に車両全体や背景等を入れ、所定領域にナンバープレートを入れて画角を決定し撮影指示することにより、一度撮影指示で、車両全体や背景等を含む撮影画像と、ナンバープレートが拡大された撮影画像とを取得することができる。これにより駐車違反の証拠画像が得られる共に、数字等、ナンバープレートの表示内容を読み取り易くすることができる。
【００８５】
なお本実施形態のデジタルカメラ１−３における第一の撮影及び第二の撮影は、上述の実施形態のデジタルカメラ１、１−２と同様に、それぞれ第一の露出条件、第二の露出条件に従って行なうものとしたが、本発明はこれに限られるものではなく、例えば、第二の撮影も第一の露出条件に従って行ってもよい。また本実施形態のデジタルカメラ１−３は所定領域Ａ２を含む最大倍率まで拡大するように光学ズームを行うが、本発明はこれに限られるものではなく、例えば、レリーズボタン１９が全押しされている間のみ光学ズームを行ってもよい。
【００８６】
次に本発明の撮影装置にかかる第四の実施形態のデジタルカメラ１−４について説明する。図１０にデジタルカメラ１−４の機能構成を示すブロック図を示す。なお本実施形態のデジタルカメラ１−４は、上述した第一の実施形態のデジタルカメラ１と略同様の構成であるため、同一箇所を同一符号で示して説明を省略し、異なる箇所についてのみ説明する。
【００８７】
本実施形態のデジタルカメラ１−４は、図１０に示す如く、上述した第一の実施形態のデジタルカメラ１に、電子ズーム撮影部（電子ズーム撮影手段）８０をさらに備えたものである。電子ズーム撮影部８０は、フレームメモリ６８又は外部記録メディア７０に格納された画像データ中の任意の領域の画像を切り出して画像データを生成する。
【００８８】
以下、上記構成のデジタルカメラ１−４において駐車撮影モード時に行われる処理について説明する。図１１はデジタルカメラ１−４の一連の処理のフローチャート、図１２はデジタルカメラ１−４の電子ズームの一実施例である。なお本実施形態のデジタルカメラ１−４の図１１ＡのステップＳ２１〜Ｓ２４の処理は図５のステップＳ１〜Ｓ４の処理と同様であるため、説明を省略する。
【００８９】
ステップＳ２４にてレリーズボタン１９が半押しされると（ステップ２４；ＹＥＳ）、図１１Ａに示す如く、ＡＥ／ＡＷＢ処理部６３が、撮影視野全体Ａ１に対してＡＥ処理を行い、露出条件を決定する（ステップＳ２５）。そして次にＡＦ処理部６２が、撮影視野Ａ１の中央領域に対してＡＦ処理を行い、合焦位置を決定する（ステップＳ２６）。なおＡＦ処理は被写体すなわち撮影視野Ａ１の中央領域に対して行なったが本発明はこれに限られるものではなく、例えば所定領域Ａ２に対して行ってもよい。
【００９０】
次にＣＰＵ７５はレリーズボタン１９の半押しが解除されたか否かを判別する（ステップＳ２７）。そして半押しが解除された場合は（ステップＳ２７；ＹＥＳ）ＣＰＵ７５はステップＳ２２へ処理を移行し、半押しが解除されていない場合は（ステップＳ２７；ＮＯ）、図１１Ｂに示す如く、ＣＰＵ７５はレリーズボタン１９が全押しされたか否かを判別する（ステップＳ２８）。
【００９１】
レリーズボタン１９が全押しされていない場合は（ステップＳ２８；ＮＯ）、全押しされるまでステップＳ２８の処理を繰り返し、レリーズボタン１９が全押しされた場合は（ステップＳ２８；ＹＥＳ）、ステップＳ２５にて決定された露出条件に従って撮影視野全体Ａ１を撮影する全体撮影を行う（ステップＳ２９）。
【００９２】
次にファイル名生成部７７が、全体撮影により得られた画像データが撮影視野全体Ａ１の画像であることがわかるように、例えばファイル名の末尾をallとしたファイル名を生成する（ステップＳ３０）。そして全体撮影により取得された画像に対して画像処理部６４が画像処理を施し（ステップＳ３１）、画像処理が施された画像をモニタ１８に表示する処理を行うと共に上述のように生成されたファイル名で外部記録メディア７０に記憶する（ステップＳ３１）。
【００９３】
次に電子ズーム撮影部８０が、電子ズームを行う（ステップＳ３２）。電子ズームは、図１２（ａ）に示す如く、外部記録メディア７０に記録された画像データ中の所定領域Ａ２の画像を切り出して画像データを生成すなわち電子ズームを行い（ステップＳ３２）、図１２（ａ）に示す如く、所定領域Ａ２をモニタ１８に拡大表示する（ステップＳ３３）。そしてファイル名生成部７７が、所定領域Ａ２の画像データであることがわかるように、例えばファイル名の末尾をpartとしたファイル名を生成し（ステップＳ３４）、モニタ１８に表示された所定領域Ａ２の画像データを外部記録メディア７０に記録する（ステップＳ３５）。
【００９４】
そしてＣＰＵ７５は電源スイッチ２２によってオフ操作がなされたか否かを判別し（ステップＳ３６）、オフ操作がなされていたら（ステップＳ３６；ＹＥＳ）、デジタルカメラ１の電源をオフし、処理を終了する。オフ操作がなされていなかったら（ステップＳ３６；ＮＯ）、ステップＳ２１へ処理を移行し、ステップＳ２１以降の処理を繰り返す。このようにしてデジタルカメラ１−４による撮影は行われる。
【００９５】
上記のデジタルカメラ１−４及びデジタルカメラ１−４による撮影方法によれば、一度の撮影で、撮影視野全体Ａ１の撮影画像と、所定領域Ａ２が拡大された撮影画像とを得ることができる。これにより例えば駐停車違反車両を撮影するときに、ユーザが撮影視野内に車両全体や背景等を入れ、所定領域にナンバープレートを入れて画角を決定し撮影することにより、一度撮影で、車両全体や背景等を含む撮影画像と、ナンバープレートが拡大された撮影画像とを取得することができるので、駐車違反の証拠画像が得られる共に、数字等、ナンバープレートの表示内容を読み取り易くすることができる。
【００９６】
また例えば交通量の多い路上に駐停車されている車両を撮影するときに、本実施形態のデジタルカメラ１−４は撮影を一度のみ行えばよいので、ユーザはすばやく安全に撮影を行うことができる。
【００９７】
なお本実施形態のデジタルカメラ１−４は、上述の第二の実施形態のデジタルカメラ１−２と同様の測距センサ（測距手段）７８及び測距結果表示部（測距結果表示手段）７９を備えてもよい。
【００９８】
次に本発明の撮影装置にかかる第五の実施形態のデジタルカメラ１−５について説明する。図１３にデジタルカメラ１−５の機能構成を示すブロック図を示す。なお本実施形態のデジタルカメラ１−４は、上述した実施形態のデジタルカメラ１と略同様の構成であるため、同一箇所を同一符号で示して説明を省略し、異なる箇所についてのみ説明する。
【００９９】
本実施形態のデジタルカメラ１−５は、図１３に示す如く、上述の実施形態のデジタルカメラ１の構成において領域表示部６６を備えずに、対象物検出部（対象物検出手段）８１を備えている。対象物検出部８１は、取得された画像データから所定の対象物を検出するものである。
【０１００】
以下、上記構成のデジタルカメラ１−５において駐車撮影モード時に行われる処理について説明する。図１４はデジタルカメラ１−５の一連の処理のフローチャートである。なお図１４は図５のフローチャートと概略同じ処理であるため、重複する箇所は同じ番号で示して説明を省略する。
【０１０１】
本実施形態のデジタルカメラ１−５は、図１４Ａに示す如く、ステップＳ４にてレリーズボタン１９が半押しされると（ステップＳ４；ＹＥＳ）、対象物検出部８１がフレームメモリ６８に格納された画像データすなわちスルー画像から対象物としてナンバープレートを検出する（ステップＳ４１）。ナンバープレートの検出は、例えば本願出願人が先に出願している特開２００５−３２１８７２号公報に記載のナンバープレート認識方法を使用することができる。
【０１０２】
そしてステップＳ４１にてナンバープレートが検出されなかった場合（ステップ４２；ＮＯ）には、対象物検出部８１によりナンバープレートが検出されるまでＣＰＵ７９はステップＳ４１の処理を繰り返す。
【０１０３】
一方、ステップＳ４１にてナンバープレートが検出された場合（ステップＳ４２；ＹＥＳ）には、ＣＰＵ７５はステップＳ５へ処理を移行して、上述の第一の実施形態のデジタルカメラ１と同様に第一の露出条件を決定し（ステップＳ５）、続いて第二の露出条件を決定する（ステップＳ６）。本実施形態のデジタルカメラ１−５が上述の実施形態のデジタルカメラ１と異なるのは、このステップＳ６にて第二の露出条件を決定するときに、ＡＥ／ＡＷＢ処理部６３が、対象物検出部８１により検出された対象物すなわちナンバープレートに対してＡＥ処理を行うことである。
【０１０４】
こうすることによりユーザが撮影視野Ａ１中のナンバープレートの位置を調整して画角を決定しなくても、撮影視野Ａ１にナンバープレートが入っていれば、ナンバープレートを自動的に検出する。そして撮影視野Ａ１全体の明るさに基づく第一の露出条件とナンバープレートの明るさに基づく第二の露出条件とをそれぞれ決定し、撮影時に、第一の露出条件に従った第一の撮影と、第二の露出条件に従った第二の撮影とを連続して行うので、それぞれの領域においてそれぞれ適切な明るさの画像を取得することができる。
【０１０５】
そして次にＣＰＵ７５はステップＳ７へ処理を移行する。なお本実施形態の図１４Ａ、図１４ＢのステップＳ７以降の処理は、図５のステップＳ７以降の処理と同様であるため説明は省略する。このようにしてデジタルカメラ１−５による撮影は行われる。
【０１０６】
また本実施形態のデジタルカメラ１−５と同様に、上述の第二の実施形態のデジタルカメラ１−２、第三の実施形態のデジタルカメラ１−３、第四の実施形態のデジタルカメラ１−４においても、領域表示部６６を備えずに、対象物検出部（対象物検出手段）８１を備えることができる。この場合所定領域Ａ２は対象物検出部８１により検出されるナンバープレートとなる。
【０１０７】
次に本発明の撮影装置にかかる第六の実施形態のデジタルカメラ１−６について説明する。図１５にデジタルカメラ１−６の機能構成を示すブロック図、図１６にフォルダ作成の一実施例を示す。なお本実施形態のデジタルカメラ１−６は、上述した第五の実施形態のデジタルカメラ１−５と略同様の構成であるため、同一箇所を同一符号で示して説明を省略し、異なる箇所についてのみ説明する。
【０１０８】
本実施形態のデジタルカメラ１−６は、図１５に示す如く、第五の実施形態のデジタルカメラ１−５の構成に自動認証部８２、判断部８３及びフォルダ作成部８４をさらに備えたものである。自動認証部８２は、対象物検出部８１により検出された所定の対象物に表示されている表示内容を認証するものであり、本実施形態では対象物検出部８１により検出されたナンバープレートに表示されている文字及び／又は数字を認証する。判断部（判断手段）８３は、自動認証部８２による認証率が低いか否かを判断する。この認証率の判断方法については後で詳細に説明する。
【０１０９】
フォルダ作成部８４は、自動認証部８２により認証されたナンバープレートの文字及び／又は数字に応じた名前のフォルダを外部記録メディア７０に作成する。例えば図１６に示す如く、「品川５５さＸＸ―ＸＸ」（Ｘは数字とする）が認証された場合には、「品川５５さＸＸ＿ＸＸ」の名前のフォルダを作成する。なお、フォルダ名は認証された文字及び／又は数字すなわち車体番号に応じたものであれば、上記のように車体番号そのままであっても、車体番号に対応する上記以外の名前であってもよい。フォルダは、外部記録メディア７０ではなく、内部メモリ６７に作成してもよい。
【０１１０】
以下、上記構成のデジタルカメラ１−６において駐車撮影モード時に行われる処理について説明する。図１７はデジタルカメラ１−６の一連の処理のフローチャートである。本実施形態のデジタルカメラ１−６は、まず図１７Ａに示す如く、ＣＰＵ７５は、動作モードスイッチ１１の設定に従って、動作モードを判別する（ステップＳ５１）。再生モードの場合（ステップＳ５１；再生）、再生処理が行われる（ステップＳ６９）。この再生処理は、メディア制御部６９が外部記録メディア７０に記憶された画像ファイルを読み出し、画像ファイルに含まれる画像データに基づいた画像をモニタ１８に表示させるための処理である。再生処理が終了したら、図１７Ｂに示す如く、ＣＰＵ７５はデジタルカメラ１−６の電源スイッチ２２によってオフ操作がなされたか否かを判別し（ステップＳ６７）、オフ操作がなされていたら（ステップＳ６７；ＹＥＳ）、デジタルカメラ１−６の電源をオフし、処理を終了する。オフ操作がなされていなかったら（ステップＳ６７；ＮＯ）、ステップＳ５１へ処理を移行する。
【０１１１】
一方、図１７ＡのステップＳ５１において動作モードが駐車撮影モードであると判別された場合（ステップＳ５１；駐車撮影）、ＣＰＵ７５はスルー画像の表示制御を行う（ステップＳ５２）。スルー画像の表示とは、フレームメモリ６８に格納された画像データをモニタ１８に表示する処理である。そしてここでユーザにより、モニタ１８が確認されて、撮影視野内に道路や木、建物等を含む背景と駐車違反車両全体が収まるように画角が調整される。
【０１１２】
次に、ＣＰＵ７５はレリーズボタン１９が半押しされたか否かを判別し（ステップＳ５３）、半押されていない場合は（ステップＳ５３；ＮＯ）ＣＰＵ７５はステップＳ５２へ処理を移行し、レリーズボタン１９が半押しされるまでステップＳ５２以降の処理を繰り返す。半押されている場合は（ステップＳ５３；ＹＥＳ）はＡＥ／ＡＷＢ処理部６３が、撮影視野全体に対してＡＥ処理を行い、露出条件を決定する（ステップＳ５４）。次にＡＦ処理部６２は、撮影視野の中央領域に対してＡＦ処理を行い、合焦位置を決定する（ステップＳ５５）。
【０１１３】
次にＣＰＵ７５はレリーズボタン１９の半押しが解除されたか否かを判別する（ステップＳ５６）。半押しが解除された場合は（ステップＳ５６；ＹＥＳ）ＣＰＵ７５はステップＳ２へ処理を移行し、半押しが解除されていない場合は（ステップＳ５６；ＮＯ）、ＣＰＵ７５はレリーズボタン１９が全押しされたか否かを判別する（ステップＳ５７）。
【０１１４】
そしてレリーズボタン１９が全押しされていない場合は（ステップＳ５７；ＮＯ）、全押しされるまでステップＳ５７の処理を繰り返し、レリーズボタン１９が全押しされた場合は（ステップＳ５７；ＹＥＳ）、ステップＳ５４にて決定された露出条件及びステップ５５にて決定された合焦位置に従って撮影を行い（ステップＳ５８）、この撮影により取得された画像に対して画像処理部６４が画像処理を施す（ステップＳ５９）。
【０１１５】
次に、図１７Ｂに示す如く、対象物検出部８１が、画像処理が施された撮影画像からナンバープレートを検出する（ステップＳ６０）。そしてナンバープレートが検出されない場合（ステップＳ６１；ＮＯ）にはナンバープレートが検出されるまでステップＳ６０の処理を繰り返し行い、ナンバープレートが検出を検出した場合（ステップＳ６１；ＹＥＳ）には、判断部８３が、自動認証部８２による認証率が低いか否かを判断する（ステップＳ６２）。
【０１１６】
なお認証率の判断は、撮影画像中のナンバープレートの大きさが所定の閾値よりも小さい（ナンバープレートが小さい）場合、及び／又は、ナンバープレートの明るさが所定の閾値よりも小さい（ナンバープレートが暗い）場合に認証率が低いと判断する。このときナンバープレートの大きさ及び明るさの所定の閾値は、撮影画像においてナンバープレートの文字や数字を確認することができる限界の大きさ及び明るさの平均を予めデータ等により算出して設定する。
【０１１７】
そして次に、認証率が低いと判断されなかった場合（ステップＳ６３；ＮＯ）、自動認証部８２はナンバープレートに表示されている文字及び／又は数字を認証し（ステップＳ６４）、続いてフォルダ作成部８４が上述のように作成された名前のフォルダを外部記録メディア７０に作成する（ステップＳ６５）。そしてこの作成されたフォルダに撮影画像のデータを記録する（ステップＳ６６）。このとき図１６に示す如く、認証された文字及び／又は数字に応じたファイル名を生成して、生成されたファイル名にて前記撮影画像のデータを保存してもよい。
【０１１８】
そしてＣＰＵ７５は電源スイッチ２２によってオフ操作がなされたか否かを判別し（ステップＳ６７）、オフ操作がなされていたら（ステップＳ６７；ＹＥＳ）、デジタルカメラ１の電源をオフし、処理を終了する。オフ操作がなされていなかったら（ステップＳ６７；ＮＯ）、ステップＳ１へ処理を移行し、ステップＳ１以降の処理を繰り返す。
【０１１９】
一方、ステップＳ６３にて、認証率が低いと判断された場合（ステップＳ６３；ＹＥＳ）には、ステップＳ６３にて、ナンバープレートの大きさが所定の閾値よりも小さいことにより認証率が低いと判断されたときには、上述の第三の実施形態のデジタルカメラ１−３の光学ズームと略同じ方法にて、ナンバープレートが所定の閾値以上の大きさとなるように撮影倍率を大きくし、ナンバープレートの明るさが所定の閾値よりも小さいことにより認証率が低いと判断されたときには、露出値を大きくするように露出条件を再度決定する。またナンバープレートの大きさと明るさの両方が所定の閾値よりも小さいことにより認証率が低いと判断されたときには、上記と同様に撮影倍率を大きくするとともに露出条件も再決定する。
【０１２０】
そして次にＣＰＵ７５は、ステップＳ５８へ処理を移行して以降の処理を繰り返して行う。このようにしてデジタルカメラ１−６による撮影は行われる。
【０１２１】
上記のようなデジタルカメラ１−６及びデジタルカメラ１−６を使用する撮影方法によれば、例えば駐車違反車両までの距離が離れた位置にて撮影が行われた場合でも、ナンバープレートの表示内容の認証率が低いと判断されたときには、認証率を上げてから自動的に再度撮影を行うので、ナンバープレートを確実に認証できる撮影画像を取得することが可能となり駐車車両を確実に特定することができる。
【０１２２】
また上記のようにナンバープレートを確実に認証することにより、ナンバープレートから認証した文字や数字等を使用して、フォルダやファイル名を作成することができるので、撮影画像データの管理を容易に行うことができる。
【０１２３】
なお本実施形態のデジタルカメラ１−６は、図１７ＢのステップＳ６４のナンバープレート認証、及び、ステップＳ６５のフォルダ作成処理を行うものとしたが、これらの処理は行わなくてもよい。この場合、デジタルカメラ１−６に保存された撮影画像データを、例えば外部のナンバープレート認証装置等に読み取らせることにより、文字及び／又は数字を認証させてもよく、適宜変更可能である。
【０１２４】
本発明の撮影装置は、上述した実施形態のデジタルカメラに限られるものではなく、本発明の趣旨を逸脱しない範囲において適宜設計変更可能である。
【０１２５】
また、上記実施例では車のナンバープレートを対象にした例を説明したが、本発明はこれに限られるものではなく、逆光における人物や、スポットライトを浴びた人物、あるいは物陰に隠れた動物の生態観察における動物など、視野全体と視野内の特定の対象物の両方を適正な露出で撮影したい種々の場合に適用することができる。
【図面の簡単な説明】
【０１２６】
【図１】デジタルカメラの背面図
【図２】デジタルカメラの正面図
【図３】第一の実施形態のデジタルカメラの機能ブロック図
【図４】所定領域の表示例
【図５】第一の実施形態のデジタルカメラの一連の処理のフローチャート
【図６】第二の実施形態のデジタルカメラの機能ブロック図
【図７】第二の実施形態のデジタルカメラの測距結果の表示例
【図８Ａ】第三の実施形態のデジタルカメラの一連の処理のフローチャート（その１）
【図８Ｂ】第三の実施形態のデジタルカメラの一連の処理のフローチャート（その２）
【図９】第三の実施形態のデジタルカメラの光学ズームの一実施例
【図１０】第四の実施形態のデジタルカメラの機能ブロック図
【図１１Ａ】第四の実施形態のデジタルカメラの一連の処理のフローチャート（その１）
【図１１Ｂ】第四の実施形態のデジタルカメラの一連の処理のフローチャート（その２）
【図１２】第四の実施形態のデジタルカメラの電子ズームの一実施例
【図１３】第五の実施形態のデジタルカメラの機能ブロック図
【図１４Ａ】第五の実施形態のデジタルカメラの一連の処理のフローチャート（その１）
【図１４Ｂ】第五の実施形態のデジタルカメラの一連の処理のフローチャート（その２）
【図１５】第六の実施形態のデジタルカメラの機能ブロック図
【図１６】第六のデジタルカメラのフォルダ作成の一実施例
【図１７Ａ】第六の実施形態のデジタルカメラの一連の処理のフローチャート（その１）
【図１７Ｂ】第六の実施形態のデジタルカメラの一連の処理のフローチャート（その２）
【符号の説明】
【０１２７】
１    デジタルカメラ（撮影装置）
１８  モニタ（表示手段）
１９  レリーズボタン(撮影指示手段)
２０  撮影レンズ
２０ｂズームレンズ
５８  ＣＣＤ（撮像手段）
６２  ＡＦ処理部（合焦決定手段）
６３  ＡＥ／ＡＷＢ処理部（露出決定手段）
６６  領域表示部（領域表示手段）
７７  ファイル名生成部
７８  測距センサ（測距手段）
７９  測距結果表示部（測距結果表示手段）
８０  電子ズーム撮影部（電子ズーム撮影手段）
８１  対象物検出部（対象物検出手段）
８２  自動認証部（自動認証手段）
８３  判断部（判断手段）
８４  フォルダ作成部（フォルダ作成手段）
Ａ１  撮影視野
Ａ２  所定領域
【図１】
2008187590.tif 000003
【図２】
2008187590.tif 000004
【図３】
2008187590.tif 000005
【図４】
2008187590.tif 000006
【図５】
2008187590.tif 000007
【図６】
2008187590.tif 000008
【図７】
2008187590.tif 000009
【図８Ａ】
2008187590.tif 000010
【図８Ｂ】
2008187590.tif 000011
【図９】
2008187590.tif 000012
【図１０】
2008187590.tif 000013
【図１１Ａ】
2008187590.tif 000014
【図１１Ｂ】
2008187590.tif 000015
【図１２】
2008187590.tif 000016
【図１３】
2008187590.tif 000017
【図１４Ａ】
2008187590.tif 000018
【図１４Ｂ】
2008187590.tif 000019
【図１５】
2008187590.tif 000020
【図１６】
2008187590.tif 000021
【図１７Ａ】
2008187590.tif 000022
【図１７Ｂ】
2008187590.tif 000023